(57)【要約】  少なくとも表示部３を備える第１筐体１と、少なくとも第１操作部４ａ及び第２操作部４ｂを両側に備える第２筐体２とで構成し、第１筐体１及び第２筐体２の外形サイズを略等しくし、双方の筐体の略中心部に配置した回転軸５を中心に回転可能に連結する構造を採用する。これにより、持ち運び時や複雑な操作を必要としない場合には第２筐体２を収納することができ、第１筐体１の表示部３を大画面にしても携帯端末機全体のサイズをコンパクトにすることが可能となり、双方の筐体を回転させた状態では、操作部は第２筐体２の第１操作部４ａ及び第２操作部４ｂの２つ（又は第１筐体１の補助操作部３ａと第２筐体２の第１操作部４ａ及び第２操作部４ｂの３つ）に分かれるため、両手で保持して操作可能になる。
2008132800.tif 000002
【特許請求の範囲】
【請求項１】
少なくとも表示部を備える上側の第１筐体と、少なくとも操作部を備える下側の第２筐体とが、少なくともいずれか一方の筐体の略中心に配置された回転軸を中心として回転可能に連結されてなる回転式携帯端末機であって、
前記第１筐体と前記第２筐体とは、外形サイズが略等しく、
前記操作部は、第１操作部と第２操作部とを含んで構成され、
前記第１筐体を前記第２筐体に対して回転させた状態において、前記第１筐体の一方の側に前記第１操作部が配置され、前記第１筐体を挟んで前記一方の側と反対の他方の側に前記第２操作部が配置され、２つの前記操作部で操作可能となることを特徴とする回転式携帯端末機。
【請求項２】
前記第１筐体に補助操作部が配置され、
前記第１筐体を前記第２筐体に対して回転させた状態において、前記補助操作部、前記第１操作部及び前記第２操作部の３つの操作部で操作可能となることを特徴とする請求項１記載の回転式携帯端末機。
【請求項３】
前記第１筐体の前記表示部にタッチパネルを備え、
前記補助操作部は、前記表示部に表示されることを特徴とする請求項２記載の回転式携帯端末機。
【請求項４】
前記回転式携帯端末機は、前記第１筐体と前記第２筐体との回転状態を検出する回転検出部と、制御部とを備え、
前記制御部は、前記回転検出部で検出した回転状態に基づいて、
前記第１筐体側からの平面視した際に、前記第１筐体の外郭から、前記第２筐体の外郭がはみださないように、重ね合わせた状態では、前記表示部に前記補助操作部を表示し、
前記第１筐体を前記第２筐体に対して回転させた状態では、前記表示部に前記補助操作部を表示しない制御を行うことを特徴とする請求項３記載の回転式携帯端末機。
【請求項５】
当該回転式携帯端末機は、複数の機能を備え、各機能を選択して使用されるものであり、
前記第１筐体に前記第１操作部及び前記第２操作部として動作するタッチパネルと、
制御部とを備え、
前記制御部は、選択された機能を検出し、検出した機能に基づいて、前記第１操作部及び前記第２操作部のキー構成を設定することを特徴とする請求項１乃至４のいずれか一に記載の回転式携帯端末機。
【発明の詳細な説明】
【技術分野】
【０００１】
本発明は、携帯端末機に関し、特に、主に表示部を備える筐体と主に操作部を備える筐体とが回転可能に連結された回転式携帯端末機に関する。
【背景技術】
【０００２】
従来、携帯電話機等の携帯端末機は、１つの筐体に表示部と操作部の双方を設ける構造や、一方の筐体に表示部を設け、他方の筐体に操作部を設け、双方の筐体をヒンジを介して開閉可能に連結する構造等が主流であった。しかしながら、近年、操作性の向上や差別化を図るために、スライド構造などの様々な構造の携帯端末機が提案されている。【０００３】
図８は、従来のスライド式携帯端末機の構成を示す斜視図である。図８に示すように、従来のスライド式携帯端末機は、表示部２３を備える表示側筐体２１と操作部２４を備える操作側筐体２２とがスライド可能に連結された構造である。表示側筐体２１には簡単な操作を行うための補助操作部２３ａなどが設けられている。【０００４】
このようなスライド式携帯端末機では、携帯端末機を持ち運ぶ場合や、通話をしたり、電子メールを閲覧したり、ＴＶ放送やｗｅｂ画面を閲覧したり、音楽を聴くなど、複雑な操作を必要としない場合には、操作側筐体２２の上に表示側筐体２１を重ねて使用する。一方で、電話番号や電子メールを入力したり、アプリケーションを起動してゲームをするなど、複雑な操作を必要とする場合は、表示側筐体２１をスライドさせ、操作側筐体２２の操作部２４を操作可能にして使用している。このようなスライド式携帯端末機に関しては、例えば、下記特許文献１などに開示されている。【０００５】
【特許文献１】特開２００４−１５３５９７号公報
【発明の開示】
【０００６】
しかしながら、上述した従来のスライド式携帯端末機は、表示側筐体２１をスライドさせて操作側筐体２２の操作部２４を操作する時、下方にある操作部２４などは距離があるために押しにくく、また、上方にある操作部２４は第１筐体２１が壁になって押しにくいなど、操作性が悪いという問題があった。また、従来のスライド式携帯端末機は、操作部２４を片手で操作することを前提にしているために保持性が悪く、この観点からも操作性に問題があった。
【０００７】
本発明は、上記問題点に鑑みてなされたものであって、その主たる目的は、操作部の操作性を向上させることができる回転式携帯端末機を提供することにある。
【０００８】
上記目的を達成するため、本発明は、少なくとも表示部を備える上側の第１筐体と、少なくとも操作部を備える下側の第２筐体とが、少なくともいずれか一方の筐体の略中心に配置された回転軸を中心として回転可能に連結されてなる回転式携帯端末機であって、前記第１筐体と前記第２筐体とは、外形サイズが略等しく、前記操作部は、第１操作部と第２操作部とで構成され、前記第１筐体を前記第２筐体に対して回転させた状態において、前記第１筐体の一方の側に前記第１操作部が配置され、前記第１筐体を挟んで前記一方の側と反対の他方の側に第２操作部が配置され、２つの前記操作部で操作可能となることを特徴とする回転式携帯端末機となるものである。
【０００９】
本発明においては、前記第１筐体に補助操作部が配置され、前記第１筐体を前記第２筐体に対して回転させた状態において、前記補助操作部、前記第１操作部及び前記第２操作部の３つの操作部で操作可能となる構成とすることができる。
【００１０】
また、本発明においては、前記第１筐体の前記表示部にタッチパネルを備え、前記補助操作部は、前記表示部に表示される構成とすることができる。
【００１１】
また、本発明においては、前記回転式携帯端末機は、前記第１筐体と前記第２筐体との回転状態を検出する回転検出部と、制御部とを備え、前記制御部は、前記回転検出部で検出した回転状態に基づいて、前記第１筐体側からの平面視した際に、前記第１筐体の外郭から、前記第２筐体の外郭がはみださないように、重ね合わせた状態では、前記表示部に前記補助操作部を表示し、前記第１筐体を前記第２筐体に対して回転させた状態では、前記表示部に前記補助操作部を表示しない制御を行うことができる。
【００１２】
また、本発明においては、当該回転式携帯端末機は、複数の機能を備え、各機能を選択して使用されるものであり、前記第１筐体に前記第１操作部及び前記第２操作部として動作するタッチパネルと、制御部とを備え、前記制御部は、選択された機能を検出し、検出した機能に基づいて、前記第１操作部及び前記第２操作部のキー構成を設定する構成とすることができる。
【００１３】
このように、少なくとも表示部が配置される第１筐体と、少なくとも第１操作部及び第２操作部が両側に配置される第２筐体とを回転軸を中心として回転可能にすることにより、操作部の操作性を向上させることができる。
【図面の簡単な説明】
【００１４】
上述した目的、およびその他の目的、特徴および利点は、以下に述べる好適な実施の形態、およびそれに付随する以下の図面によってさらに明らかになる。【００１５】
【図１】本発明の第１の実施例に係る回転式携帯端末機の構成を示す図であり、（ａ）は筐体を重ね合わせた状態を示す全体斜視図、（ｂ）はその分解図である。
【図２】本発明の第１の実施例に係る回転式携帯端末機の構成を示すブロック図である。
【図３】本発明の第１の実施例に係る回転式携帯端末機を回転させた使用状態を示す上面図である。
【図４】本発明の第２の実施例に係る回転式携帯端末機の構成を示す図であり、（ａ）は筐体を重ね合わせた状態を示す全体斜視図、（ｂ）はその分解図である。
【図５】本発明の第２の実施例に係る回転式携帯端末機の構成を示すブロック図である。
【図６】本発明の第２の実施例に係る回転式携帯端末機を回転させた使用状態を示す上面図である。
【図７】本発明の第２の実施例に係る回転式携帯端末機を回転させた使用状態を示す上面図である。
【図８】従来のスライド式携帯端末機をスライドさせた全体図である。
【発明を実施するための最良の形態】
【００１６】
以下、本発明の実施形態を図面に基づいて説明する。【００１７】
従来技術で示したように、操作性の向上や差別化を図るために、様々な構造の携帯端末機が提案されており、表示部を備える表示側筐体と操作部を備える操作側筐体とがスライド可能に連結された構造のスライド式の携帯端末機も提案されている。しかしながら、従来のスライド式携帯端末機は片手での操作を前提にしているため、操作部の端部のキーが押しにくく、また、保持性が悪く安全性に欠けるという問題があった。【００１８】
この問題に対して、操作部を両側に設けた操作側筐体上に、操作側筐体よりもサイズの小さい表示側筐体を配置し、双方の筐体を回転可能に連結する構造も考えられるが、このような構造では表示部のサイズが小さくなってしまい、画面の視認性が悪くなるという問題が生じる。【００１９】
ここで、携帯端末機の使用状況を考えると、通話をしたり、電子メールを閲覧したり、ＴＶ放送やｗｅｂ画面を閲覧したり、音楽を聴く場合などでは、複雑な操作が必要なく、簡単な操作ができれば十分であることから、操作側筐体の操作部は必ずしも露出している必要はない。【００２０】
そこで、本発明では、携帯端末機を、少なくとも表示部が配置される第１筐体と、少なくとも第１操作部及び第２操作部が両側に配置される第２筐体とで構成し、第１筐体及び第２筐体の外形サイズを略等しくし、双方の筐体の略中心部に配置した回転軸を中心に回転可能に連結する構造を採用する。これにより、持ち運び時や複雑な操作を必要としない場合には第１筐体により、第２筐体が隠れるように、第１筐体及び第２筐体を重ねあわせ、第１筐体の表示部を大画面にしても携帯端末機全体のサイズをコンパクトにすることが可能となる。一方で、双方の筐体を回転させた状態では、操作部が、第２筐体の第１操作部及び第２操作部の２つ（又は第１筐体の補助操作部と第２筐体の第１操作部及び第２操作部の３つ）に分かれるため、両手で保持して操作することが可能となり、操作性や安全性、視認性の向上を図ることができる。【００２１】
（第１実施形態）
上記した本発明の実施の形態についてさらに詳細に説明すべく、本発明の第１の実施例に係る回転式携帯端末機について、図１乃至図３を参照して説明する。図１は、本実施例の回転式携帯端末機の構成を模式的に示す図であり、（ａ）は筐体を重ね合わせた状態を示す斜視図、（ｂ）は、その分解図である。また、図２は、本実施例の回転式携帯端末機の構成を示すブロック図である。また、図３は、本実施例の回転式携帯端末機の使用状態を示す上面図である。【００２２】
図１に示すように、本実施形態の回転式携帯端末機は、携帯電話であり、上側の筐体（以下、第１筐体１と呼ぶ。）と、下側の筐体（以下、第２筐体２と呼ぶ。）と、第１筐体１及び第２筐体２を回転可能に連結する回転軸５とを備える。
第１筐体１は、ＬＣＤ（Liquid Crystal Display）や有機ＥＬディスプレイ（Organic Electroluminescence Display）などで構成される表示部３と、方向キーや特殊機能キーなどで構成される補助操作部３ａと、これらが設けられた第１筐体本体１Ａとを有する。
第１筐体本体１Ａは、矩形形状であり、その上面に表示部３、補助操作部３ａとが配置されている。
第２筐体２は、方向キーや特殊機能キー、入力キーなどで構成される第１操作部４ａと、第２操作部４ｂと、これらの操作部４ａ，４ｂが設けられた第２筐体本体２Ａとを有する。
第２筐体本体２Ａは、矩形形状であり、その上面に第１操作部４ａと、第２操作部４ｂが配置されている。従って、第１筐体１の外郭から、第２筐体２の外郭がはみ出さないように、第２筐体２と、第１筐体１とを完全に重ね合わせた状態では、第１操作部４ａおよび第２操作部４ｂは、第１筐体１に被覆され、露出しない。
なお、第１筐体１と第２筐体２とは、ほぼ同じ外形サイズで形成されている。
ここで、筐体を重ねあわせた状態とは、図１（ａ）のように、第１筐体１の外郭から、第２筐体２の外郭がはみ出さないように重ねあわさっている状態をいい、筐体が回転した状態とは、図３に示すように、図１（ａ）の状態から、第１筐体１あるいは、第２筐体２を回転させて、第１筐体１の外郭から、第２筐体２の外郭がはみだす状態となっていることをいう。【００２３】
また、図２に示すように、第１筐体１又は第２筐体２には、音声通話やＴＶ電話通話、電子メール等を行う際の無線データの送受信処理を行う無線部７と、携帯端末機を動作させるための各種プログラムやＩＤ情報、電話番号等を記憶する、任意に書き込み・読み出しが可能なメモリ８と、音声を入力するマイク９と、音声や着信音などを出力するレシーバ１０及びスピーカ１１と、これらの動作を制御するＣＰＵ（制御部）６などが配置されている。【００２４】
なお、図１では、第１操作部４ａと第２操作部４ｂのキー構成を変えているが、双方の操作部を同じキーで構成してもよいし、左右対称となるようにキーを配置してもよい。また、図１では、第１筐体１と第２筐体２とを重ね合わせた状態でも簡易的な操作ができるように第１筐体１側に補助操作部３ａを設けているが、補助操作部３ａを無くして第１筐体１の全面を表示部３としてもよい。【００２５】
また、回転軸５は、通常、軸と軸受けなどで構成されるが、第１筐体１及び第２筐体２を回転可能に連結できれば、その構造は特に限定されないし、回転軸５と第１筐体１又は第２筐体２との接続構造も特に限定されない。また、図２は本実施形態の携帯端末機の基本構成であり、図２の構成に加えて、静止画や動画を撮影するデジタルカメラ部や、ＴＶ放送やラジオ放送を受信するための受信部、音楽を再生するための音源、電磁結合又は電磁誘導を利用してデータ通信を行うＲＦＩＤ（Radio Frequency Identification）部などを備える構成としてもよい。【００２６】
上記構成の回転式携帯端末機は、携帯端末機を持ち運ぶ場合や、通話をしたり、電子メールを閲覧したり、ＴＶ放送やｗｅｂ画面を閲覧したり、音楽を聴くなど、複雑な操作を必要としない場合には、図１（ａ）に示すように、第１筐体１の外郭から、第２筐体２の外郭がはみ出さないように、第１筐体１と第２筐体２を略完全に重ね合わせて使用することができる。この使用方法では、回転式携帯端末機全体のサイズを小さくしてコンパクトにすることができる。【００２７】
一方、電話番号や電子メールを入力したり、アプリケーションを起動してゲームをするなど、複雑な操作を必要とする場合には、図３（ａ）に示すように、回転軸５を中心にして第１筐体１を回転させて使用することができる。この使用方法では、第１筐体１の一方の側に第２筐体２の第１操作部４ａが配置され、第１筐体１を挟んだ他方の側に第２操作部４ｂが現れる。そのため、第１操作部４ａを一方の手で、第２操作部４ｂを他方の手で保持することにより、第２筐体２の第１操作部４ａ及び第２操作部４ｂの２つの操作部（又は第１筐体１の補助操作部３ａと第２筐体２の第１操作部４ａ及び第２操作部４ｂの３つの操作部）を操作することができ、操作性を向上させると共に、安全かつ効率的な操作も可能となる。【００２８】
特に、アプリケーションを起動してゲームを行う場合には、ゲーム機のコントローラと同様の感覚で操作することができるため、複雑なゲームも楽しむことができる。【００２９】
なお、図３（ａ）では、図１（ａ）の状態から第１筐体１を時計回りに９０°回転させた状態を示したが、回転方向は任意であり、例えば、図３（ｂ）に示すように、反時計回りに９０°回転させてもよい。また、図３（ａ）では、第１筐体１を９０°回転させた状態としたが、回転角度も任意であり、例えば、第１筐体１の補助操作部３ａと第２筐体２の第１操作部４ａ又は第２操作部４ｂとを近づけた方が操作しやすい場合は、９０°以外の角度で止めてもよい。また、操作中に第１筐体１が勝手に回転しないように、第１筐体１及び第２筐体２の対向する位置に凹凸を設け、所定の角度で凹凸を係合させる構成としてもよい。【００３０】
以上のような本実施形態の回転式携帯端末機によれば、以下に記載するような効果を奏する。【００３１】
本実施形態の回転式形態端末機によれば、操作性を格段に向上させることができる。その理由は、表示部３等を有する第１筐体１と、第１操作部４ａ及び第２操作部４ｂを有する第２筐体２とを略等しい外形サイズで形成している。そして、双方の筐体の略中心部に位置する回転軸５を中心として第１筐体１と第２筐体２とが回転可能に連結される構造を採用している。そのため、第１筐体１を回転させた状態において、第１操作部４ａは、第１筐体１を挟んで、第２操作部４ｂと反対側に位置することとなる。そのため、携帯端末機を両手で保持して操作することが可能となる。操作部を両手で握ることから保持性を向上させることができ、メール作成時やゲーム操作時などの複雑な操作を行う場合でも、携帯端末機を落としてしまうこともなく、安全性を高めることができる。また、両手でしっかり保持することが可能なことから操作部が操作しやすくなり、メール作成時の入力スピードの向上を図ることもできる。【００３２】
また、本実施形態では、第１筐体１に、補助操作部３ａを形成しているので、第１筐体１と第２筐体２を完全に重ね合わせても、回転式形態端末機を使用することができる。第１筐体１と第２筐体２を完全に重ね合わせた状態で、補助操作部３ａを操作して、かかってきた電話をとって通話したり、電話をかけたりすることができる。【００３３】
さらに、第１筐体１を回転させた状態においては、第１操作部４ａ、第２操作部４ｂに加え、補助操作部３ａも使用できるので、回転式携帯端末機を両手で保持して複雑な操作することが可能となる。【００３４】
（第二実施形態）
次に、本発明の第２実施形態に係る回転式携帯端末機（回転式携帯電話）について、図４乃至図７を参照して説明する。図４は、本実施例の回転式携帯端末機の構成を模式的に示す図であり、（ａ）は筐体を重ね合わせた状態を示す斜視図、（ｂ）は、その分解図である。また、図５は、本実施例の回転式携帯端末機の構成を示すブロック図である。また、図６及び図７は、本実施例の回転式携帯端末機の使用状態を示す上面図である。【００３５】
前記した第一実施形態では、第１筐体１と第２筐体２とを略完全に重ね合わせた状態でも簡易な操作ができるように、第１筐体１は、表示部３と補助操作部３ａとを有するものであった。この構成では、表示部３のサイズを最大限に大きくすることが難しい。そこで、本実施形態では、図４に示すように、第１筐体１の表示部を、タッチパネル表示部３ｂとし、必要に応じてタッチパネル表示部３ｂを補助操作部３ａとしても機能させる。たとえば、ＬＣＤや有機ＥＬディスプレイなどの前面の少なくとも一部に、接触や押圧によりＯＮ／ＯＦＦ制御を行う素子がマトリクス状に配列されたタッチパネルなどの透明なスイッチ手段を実装して、タッチパネル表示部３ｂとすることができる。【００３６】
なお、ユーザが第１操作部４ａ又は第２操作部４ｂを操作して、タッチパネル表示部３ｂに補助操作部３ａを表示させるか否かを指示してもよいが、第１筐体１と第２筐体２とを重ね合わせた状態ではある程度の操作が必要であることから、タッチパネル表示部３ｂに補助操作部３ａを表示させることが好ましく、第１筐体１を回転させた状態では、第２筐体２の第１操作部４ａ及び第２操作部４ｂで操作可能であることから、タッチパネル表示部３ｂに補助操作部３ａを表示させずに大画面ディスプレイとして利用可能にすることが好ましい。【００３７】
そこで、図５に示すように、回転式携帯端末機に回転検出部１２を設け、回転検出部１２で第１筐体１及び第２筐体２の回転状態を判別し、ＣＰＵ（制御部）６が回転していると判断した場合には、ＣＰＵ６は表示部３に補助操作部３ａを表示させないように制御することもできる。また、、ＣＰＵ（制御部）６が回転していない（平面視において第１筐体１の外郭から第２筐体２がほとんどはみ出していない状態）と判断した場合には、表示部３に補助操作部３ａを表示させる。この回転検出部１２の具体的構造は特に限定されないが、例えば、第１筐体１及び第２筐体２の対向する位置に接点を設け、所定の角度で接点が接触するようにして、抵抗変化や電圧変化、電流変化などで回転状態を判別することができる。【００３８】
上記構成の回転式携帯端末機は、図６（ａ）に示すように、第１筐体１と第２筐体２を重ね合わせた状態では、タッチパネル表示部３ｂの少なくとも一部に補助操作部３ａが表示されるため、第２筐体２の第１操作部４ａ及び第２操作部４ｂを隠した状態でも、簡易な操作を行うことができる。【００３９】
一方、図６（ｂ）に示すように、回転軸５を中心にして第１筐体１を回転させた状態では、第１筐体１のタッチパネル表示部３ｂには補助操作部３ａが表示されないため、タッチパネル表示部３ｂ全体を大画面ディスプレイとして利用することができ、画面の視認性を向上させることができる。【００４０】
特に、ワンセグ等のＴＶを見る場合や、ゲームを楽しむ場合には、迫力のあるＴＶ画面やゲーム画面を表示することができ、また、ｗｅｂを利用する場合には、情報を正確に伝達することができ、電子メールを作成する場合には、誤入力等を防止することができる。【００４１】
なお、図６（ｂ）では、第１筐体１を９０°回転させた状態を示したが、回転方向や回転角度は任意であり、例えば、第１筐体１がある程度回転した状態で補助操作部３ａが表示されないようにしてもよいし、第１筐体１を９０°回転させてから所定時間内に補助操作部３ａが操作されない場合に補助操作部３ａが表示されないようにしてもよい。【００４２】
また、上記説明では、第２筐体２の第１操作部４ａ及び第２操作部４ｂは各種キーが実際に形成された構造としたが、第２筐体２もＬＣＤや有機ＥＬ画面上にタッチパネルが形成された構造として、ＣＰＵ６が選択された機能を認識して、その機能に適した構成の操作部を画面上に表示させることもできる。【００４３】
例えば、通常の操作時では、全ての種類のキーが表示されることが望ましいが、ゲームをする場合はキーの数が少ない方が操作しやすいことから、図７（ａ）に示すように第１操作部４ａ及び第２操作部４ｂの双方に方向キーと特殊機能キーのみを表示するなど、ゲームに特化した操作部の配置にすることができる。【００４４】
また、電子メールを作成する場合には、数字キーと文字キーとが別れている方が入力が容易になることから、図７（ｂ）に示すように第１操作部４ａ及び第２操作部４ｂの一方に数字キーを表示し、他方に文字キーを表示するなど、メール作成に特化した操作部の配置にすることもできる。
回転検出部１２にて、使用者が第１筐体１を所定角度回転させたと検出したら、ＣＰＵ６では、表示部３ｂに回転式携帯端末機の有する機能（たとえば、メール機能、ゲーム機能等）を表示させる。使用者は、表示部３ｂをタッチして、使用する機能を選択する。回転式携帯端末機のＣＰＵ６が選択した機能の情報を受け取り、選択した機能に基づいたキー構成となるように、第１操作部４ａ及び第２操作部４ｂの表示を制御する。【００４５】
以上のような第２実施形態によれば、以下の効果を奏することができる。
第２実施形態では、画面の視認性を向上させることができる。第１筐体１の表示部３ｂにタッチパネルの機能を持たせているため、双方の筐体を重ね合わせた状態では、表示部３ｂの一部を補助操作部３ａとして操作可能にし、双方の筐体１，２を回転させた状態では、表示部３ｂのサイズを大きくすることができるからである。【００４６】
また、双方の筐体１，２の回転状態に応じて第１筐体１の画面サイズが変わるため、回転式携帯端末機をコンパクトにしつつ、表示部３ｂを大画面ディスプレイとして活用することができる。【００４７】
さらに、第２筐体２の操作部４ａ，４ｂにタッチパネルの機能を持たせ、双方の筐体１，２を回転させた状態で、選択した機能に応じて操作部４ａ、４ｂの構成を変更することができる。これにより、より操作性の高い回転式携帯端末機とすることができる。【００４８】
なお、上記各実施例では、本発明の構造を携帯電話機に適用する場合を示したが、本発明は上記実施例に限定されず、主に表示部を備える第１筐体と、主に操作部を備える第２筐体とが回転軸を中心にして回転可能に連結される構造の任意の携帯機器、例えば、ゲーム機やＰＤＡ（Personal Digital Assistants）、電子辞書などに対しても同様に適用することができる。
この出願は、２００７年４月２５日に出願された日本出願特願２００７−１１５２４５号を基礎とする優先権を主張するものであり、その開示の全ては、本明細書の一部として援用（incorporation herein by reference）される。
【図１】
2008132800.tif 000003
【図２】
2008132800.tif 000004
【図３】
2008132800.tif 000005
【図４】
2008132800.tif 000006
【図５】
2008132800.tif 000007
【図６】
2008132800.tif 000008
【図７】
2008132800.tif 000009
【図８】
2008132800.tif 000010
【国際調査報告】
2008132800.tif 000011
2008132800.tif 000012
2008132800.tif 000013